(57)【特許請求の範囲】
【請求項１】
血液を貯留するためのハウジングと、ハウジング上部に設けられた流入管と、ハウジング下部に設けられた排出管と、ハウジング内に上下方向に装着された第１導管と、第１導管から分岐した第２導管と、前記排出管より上流側のハウジング内に設けられた濾過網とを有する貯血槽であって、第１導管はその上部において前記流入管と連結し、その下部においてハウジング内下部且つ排出管近傍に配置された第１流出口を形成しており、第２導管の基端部は最低貯血レベルよりも下方で第１導管と連結しており、第２導管の先端部は第２導管基端部より上方で開口した第２流出口が設けられたことを特徴とする貯血槽。
【請求項２】
エアーをトラップするための消泡網が、第１流出口の下流側から排出管の間に設けられているか、或いは第２流出口の下流側から排出管の間に設けられているか、さらに或いは前記の両方に設けられている請求項１記載の貯血槽。
【請求項３】
前記第２流出口が、規定の高さに保持されている請求項１または２記載の貯血槽。
【請求項４】
前記規定の高さが、貯血槽内に貯血できる実質的最大貯血量の１／４〜４／５量の範囲の貯血量を示す位置にある請求項３記載の貯血槽。
【請求項５】
第２流出口が、前記貯血レベルに応じて上下する請求項１または２記載の貯血槽。
【請求項６】
前記第２流出口の位置が、実質的に前記血液レベルになるように調整する位置調整手段を有する請求項５記載の貯血槽。
【請求項７】
前記位置調整手段が、第２流出口近傍に血液よりも比重の小さいフロートを装着したものである請求項６記載の貯血槽。
【請求項８】
第２導管が、第２流出口の血液液面の位置が変化しても、自ずと捩曲可能な程度に柔軟である合成樹脂製チューブである請求項５〜７のいずれかの項に記載された貯血槽。
【請求項９】
第２流出口が、血液面に接する第１導管部分から規定の距離だけ離れて位置する請求項１〜８のいずれかの項に記載された貯血槽。
【請求項１０】
第２流出口を流れる液流量が、前記排出管を流れる液流量に対して、５０〜１００％である請求項１〜９のいずれかの項に記載された貯血槽。
【発明の詳細な説明】
【０００１】
【発明の属する技術分野】
本発明は、心肺手術等を行う際に使用される体外血液循環回路中において設けられ、体外循環中の血液を一時的に貯留する貯血槽に関する。
【０００２】
【従来の技術】
人工心肺装置を用いた心臓手術等では、落差圧或いは血液ポンプによって、患者の静脈から脱血した血液を人工肺でガス交換を行った後、再び患者の動脈に戻す体外血液循環が行われる。この目的のために、血液ポンプ、人工肺、熱交換器、貯血槽等を組み込んだ体外血液循環回路が使用されている。体外血液循環回路内に貯血槽を設けることにより、循環中の血液を一時的に貯留することが可能となり、体外血液循環回路内を血液が過不足なくスムースに流れるようになる。
【０００３】
【発明が解決しようとする課題】
従来の貯血槽の１つのタイプとしては、図１６に示すような流入管３を貯血槽上部に、流出管４を貯血槽下部に設けたものが知られている。このタイプの貯血槽１３では、患者体内から脱血された血液を流入管から貯血槽に流入し、貯血槽上部或いは中部に装着した濾過網７を経て、血液が泡だたないように、貯血槽の壁面に沿って流しながら貯血する。貯血された血液は排出管４から排出される。しかし、この場合に濾過網（濾過部）或いは貯血槽壁面に一時的に保持される所定の血液量が存在し、その余分な血液量が体外血液循環では大きな問題となっていた。以下、この血液量のことを簡略に動的充填量ともいう。動的充填量が多いと、体外循環の開始時や血液回路内の血流量を増加させたときに、槽内の血液レベルへの応答が遅れる原因となって、貯血槽内の血液量を安定させることが困難となり、槽内の血液量が減少して循環回路内に気泡を送り込む等の危険性が増大する。このような危険性を回避するため、施術者は動的充填量を考慮した貯血槽への充填量（プライミング量ともいう）の設定や血流量のコントロールが必要となり、このことは施術者の少なからぬ負担となっていた。
【０００４】
一方、図１７に示されるように、貯血槽上部に設けられた流入管３に、貯血槽１４内に上下に通された連通管（導管）１５が連結されて、貯血槽下部に形成された排出管４に連絡するタイプのものも知られている。このタイプでは、脱血された血液は流入管３、連通管１５を通って貯血槽下方で流出し、流出した血液は連通管を覆う濾過網７を通過して下部の排出管４から排出される。このタイプのものでは、下方の流出口２１を通過した血液のほとんどが下部の排出管４に排出されるため、前述の動的充填量の少ない貯血槽となり、その結果、貯血槽内の血液レベルの応答遅れ（タイムラグ）のない、言い換えれば安全性の高い、監視義務を減少する貯血槽として使用することができる。
【０００５】
ただし、このタイプのものは動的充填量が少ない利点を有する代り、流出口２１から流れ出た血液のほとんどが排出管４から排出されるので、貯血槽１４内の大部分の血液は循環し難くなり、滞留し易くなるとの欠点を有する。特に、貯血槽の上中部に貯まった血液は流動しにくく、積極的に槽内の血液レベルを変化させない限り、入れ換ることが困難である。場合によっては体外血液循環している間、これらの部分の血液はほとんど貯血槽内に留まったままになる恐れがある。そうすると、投入薬の混合や循環血液の希釈度に偏りが生じ、正確な血液状態をモニターできなくなる。そして、循環中の血液から採取して測定した血液パラメータは、貯血槽に滞留している大部分の血液の正確な状態を反映しないことになる。また、滞留した血液は血栓形成を促進するため、抗血液凝固の点からも好ましくない。
【０００６】
以上のように、上記貯血槽は欠点を有していたため、発明者らは図１８のような流入管に連結した連通管（導管）１５を上部で分岐させた貯血槽１８を考案して問題の解決を図った。分岐した側の導管を分岐導管１７とし、非分岐側の導管を主導管１５とすると、この貯血槽試作品１８は、分岐導管１７は貯血液液面（貯血レベル）Ａより上側で開口しており、主導管は貯血槽下部で開口（導管開口部１９）し、排出管４に連絡しているため、主導管１５内を通った血液は排出管４から排出し、分岐導管を通った血液は分岐導管開口部２０から貯血槽内に流入し、貯血槽内の血液を滞留させることなく、循環するものである。
【０００７】
ところが、このモデルでは以下のような様々な問題が発生した。第１に、主導管を流れる血液量や貯血レベル等の条件によって、分岐部に陰圧が生じ分岐管側からエアーを引込むことが判明した。また、そのために分岐管からの血液の吐出ができなくなる場合があった。第２に貯血レベルによって、主導管を流れる血液と分岐管を流れる血液量が変化する。第３に分岐管の開口部と貯血レベルの関係によって、既述した動的充填量の問題や貯血槽内血液の滞留の問題が出てくることが判明した。すなわち、分岐管開口部が貯血レベルより上にあると、動的充填量が増え、逆に分岐管開口部が貯血レベルよりかなり下にあると、開口部より下側の血液の循環は効率的でない。第４に分岐部を上部に設けると、プライミング時に分岐管側に生理食塩水等のプライミング液が完全に充填されない場合がある。
【０００８】
従って、本発明の課題は第１に動的充填量を低減し、それによって起こる体外循環時の血液レベルのタイムラグを改善することにあり、第２に血液の滞留を防止して、槽内の循環・流動性の高い貯血槽を提供することにある。
【０００９】
【課題を解決するための手段】
発明者らは創意工夫の末、上記導管の分岐部を貯血レベルより下方に形成し、分岐管側の開口部を前記分岐部より上方に設けることによって、上記の問題が改善できることが確認できた。すなわち、本発明は、血液を貯留するためのハウジングと、ハウジング上部に設けられた流入管と、ハウジング下部に設けられた排出管と、ハウジング内に上下方向に装着された第１導管と、第１導管から分岐した第２導管と、前記排出管より上流側のハウジング内に設けられた濾過網とを有する貯血槽であって、第１導管はその上部において前記流入管と連結し、その下部においてハウジング内下部且つ排出管近傍に配置された第１流出口を形成しており、第２導管の基端部は操作最低貯血レベル（最大血流量で貯血槽内を送液した際に、実質的に気泡を下流側に送り込まないで操作できる最低貯血レベルであり、以下簡略に最低貯血レベルという）よりも下方で第１導管と連結しており、第２導管の先端部は第２導管基端部より上方で開口した第２流出口が設けられたことを特徴とする貯血槽であり、この構成によって上記課題を解決した。
【００１０】
本発明の貯血槽においては、説明のために上述の主導管を第１導管、分岐導管を第２導管、分岐部を第２導管基端部、第１導管下部に形成した開口部を第１流出口、第２導管先端部に形成した開口部を第２流出口とする。
【００１１】
第２導管の第１導管から分岐している部分、すなわち第２導管基端部を最低貯血レベルより下方に、または該レベルと同じ高さに設けることによって、槽内の貯血量が減少した場合に、エアーを下流側に引込む危険性を低減することができる。さらに上記構成によって、既述した図１７の貯血槽の有する様々な欠点を改善することができる。
【００１２】
次に、第２流出口を分岐部、すなわち第２導管基端部より上方に形成することによって、貯血槽内の滞留を防止すると共に、第１導管を通過する血液に混入した気泡を効率的に除去することができる。
【００１３】
【発明の実施の形態】
さらに、本発明では上記の構成に加え、以下のような実施態様を選択することにより、後述するような種々の利点を有する。
【００１４】
例えば、エアーをトラップするための濾過網が、第１流出口の下流側から排出管の間に設けられているか、或いは第２流出口の下流側から排出管の間に設けられているか、さらに或いは前記の両方に設けられている前記貯血槽である。すなわち、図１において第１流出口８や第２流出口１０と、排出管４との間に濾過網７を装着する。この濾過網は、例えば開口径４０μｍのポリエステル製のスクリーンフィルターであり、血液中の気泡や異物、血液凝塊を捕捉できる。或いは、同様の濾過網を第２流出口の開口部に設けても良く、第１流出口周囲および第２流出口周囲の両方に設けても良い。
【００１５】
図１、２に示すように、第２流出口が、規定の高さに保持されている前記貯血槽である。第２導管の先端部が貯血槽内の規定の位置（高さ）に配置されていると、貯血槽の血液レベルによって、第２流出口からの吐出量が変化する。即ち、第２流出口が貯血レベルより高い位置に配置されていれば、血液流出量は減少し、逆に第２流出口が貯血レベルより低い位置に配置されていれば、血液流出量は増大する。しかし、この吐出量の変化は第２流出口の位置を規定の高さに保持することによって、実質的に問題無く、或いは逆に利点とすることができる。
【００１６】
例えば、規定の高さが、貯血槽内に貯血できる実質的最大貯血量の１／４〜４／５量の範囲の貯血量を示す位置にある前記貯血槽である。第２流出口をこの位置に設けると、貯血レベルが第２流出口より高い位置にある場合、流出口が液面下にあるので、第２流出口からの吐出量は充分に確保できる。また、貯血量が多い場合でも、槽内に最大貯血量を超えて貯められることはなく、最大貯血量の際でも前記の位置に第２流出口が形成されておれば、滞留防止効果が充分であることが確認された。実施例２を参照。
【００１７】
逆に、貯血レベルが第２流出口より低い位置にある場合、第２流出口からの吐出量は（貯血レベルから第２流出口までの）落差圧を克服しなければならず、低下する。実施例１を参照。その際の第２流出口からの吐出量の調節は第１流出口の開閉、静脈側の圧力上昇によって行うことになる。しかし、第２流出口が前記規定位置にある場合は、通常の使用では貯血レベルが第２流出口より下がることは滅多になく、仮に下がった場合は貯血量そのものが少ないので、滞留防止を行う必要性が少ない。少なくとも、第２流出口からの大きな吐出量によって滞留防止を行う必要は無い。以上のように、第２流出口の保持（固定）位置を規定の箇所とすることによって、貯血レベルに拘らず効率的に滞留防止ができる。或いは後述するように、第２流出口を規定の高さだけでなく、水平方向の所定の位置に保持することによって、さらに滞留防止効果を上げることができる。
【００１８】
一方、前記第２導管の先端部が、貯血槽に貯まっている血液液面（貯血レベルともいう）に応じて上下するような構造の貯血槽とすると、以下のような利点がある。上記の構成によれば、第２流出口は、貯血量が多い場合は高位置に配置され、貯血量が少ない場合は低位置に配置される。そのため、貯血量の変化に無関係に貯血槽内の滞留防止ができる。
【００１９】
上記機能は、前記第２流出口が実質的に前記血液レベルになるように調整する位置調整手段を設けることによって、実現できる。その結果、第１導管から分流して第２流出口から吐出する血液流量（吐出量）の割合は、貯血槽の貯血レベルに無関係に一定となる。また、第２流出口を貯血レベル近傍に位置することによって、血液は貯血量には関係無く、常に血液面に流出され、貯血槽内全体の血液は持続的に入れ換ることになる。
【００２０】
貯血槽の前記位置調整手段としては、例えば第２流出口近傍に設けたフロートである。フロートを設けた貯血槽を図３に示す。また、このフロートを血液よりも比重の小さいものとすることによって、確実にしかも簡易（安価）に第２流出口を血液レベルに位置させることが可能となる。フロートの形状や材質としては、特に限定されるものではないが、貯血槽内における引掛りの少ないコンパクトな形状で、生体適合性や抗血栓性に優れた比重の小さい素材が好ましい。血液より比重の大きい素材であっても、内部を中空とすることによって上記フロートを得ることも可能である。一例を挙げるならば、球状または円筒状の形状のものが使い易く、シリコーン製、塩化ビニル樹脂製のものが望ましい。
【００２１】
特に貯血レベルに応じて、第２流出口が位置（高さ）を変える場合、第２導管としては、第２流出口の血液液面の位置に応じて、自ずと捩曲可能な程度に柔軟である合成樹脂製チューブであるのが望ましい。素材としては、シリコーン製、塩化ビニル樹脂製、ポリウレタン製のものが望ましい。長さとしては、滞留防止効果のある充分な吐出量が得られ、且つ変化す得る貯血レベルに応じて血液液面（下）にあるフロートが自由に上下できるだけの長さがあれば良い。
【００２２】
第２流出口を、第１流出口から垂直方向だけでなく、水平方向にも（ハウジング内で）、できるだけ離れて位置させることにより、貯血槽内のより多くの血液を効果的に流動させることが可能となる。図２に示すように、第２流出口を第１流出口から高さ方向だけでなく、横方向に所定距離だけ離れた位置に配置させるのである。その位置としては、第２流出口に対して水平的同位置にある第１導管部分と第２流出口とを結ぶ直線で、第２流出口がハウジング内で移動可能な最も第１導管から離れた位置をＤｍａｘとすると、前記所定の距離としては、２Ｄｍａｘ／３以上であるのが好ましい。それは、第２流出口が固定のものでも、上下に移動できるものでも同じであって、滞留防止の効果からは、フロート付きの第２流出口でも、水平方向の位置は所定距離だけ離れるような構造を有するものがより好ましい。
【００２３】
第２導管を流れる液流量（第２流出口の吐出量）を、貯血槽から流出する総液流量すなわち排出管４からの液流量の５０〜１００％とすることによって、貯血槽内の血液を循環を妨げること無く、効率良く入れ換えることが可能となる。滞留防止の点からは、第２流出口からの吐出量を、第１流出口からの吐出量よりも多くする、或いは排出管の液流量をほとんど第２流出口からの吐出量で行うのが好ましいが、第２流出口に装着している濾過網による透過性能が問題となる。つまり、小さな開口部に濾過網を装着しているため、第２流出口から実質的には大きな流量は望めず、流量を増やすと抵抗が増大する。場合によっては、抵抗の増大と共に槽内の貯血量が増加する等の欠点があり、そうなると動的充填量も問題となってくる。従って、第２流出口の吐出量を、排出管からの流量の５０〜１００％にするのが望ましい。滞留防止効果においては、第２流出口の吐出量の割合だけでなく、第２流出口の吐出量絶対値も影響することが判明しており、例えば総（循環）液流量が４Ｌ／ｍｉｎの場合において、第２流出口の吐出量を１Ｌ／ｍｉｎ以上にすることで、目的とする滞留防止効果が得られることが確認されている。
【００２４】
上記の、第１流出口と第２流出口の吐出量を調整する具体的方法としては、第１流出口と第２流出口の口径比を調整するか、或いは第１流出口にフィルターのような物体等、絞り（オリフィス）効果の得られるものを付加すること等が考えられる。そして、上記吐出量の調整指針としては、貯血レベルの低下（例えば、８００ｍｌ以下）によって、第２流出口からの吐出が停止し、それ以上の貯血が行われる際に、第２流出口より吐出が開始されるようにすることが、前述の動的充填量を減少させる上でも好ましい。
【００２５】
【実施例】
以下、図面によって、本発明の各実施態様の具体的構造について説明する。図１は、第２流出口を規定の位置（高さ）に保持した貯血槽１の概略を示す。貯血槽１は、ハウジング２と、ハウジング上部に設けられた流入管３と、ハウジング下部に設けられた排出管４と、ハウジング内に上下方向に装着された第１導管５と、第１導管から分岐した第２導管６と、前記排出管４より上流側のハウジング内に設けられた濾過網７とを有している。第１導管５は、その上部で流入管３と連結し、その下部においてハウジング内下部且つ排出管４近傍に配置された第１流出口８を形成している。分岐部、すなわち第２導管の基端部９は最低貯血レベルＢよりも下方で第１導管５と連結しており、第２導管の先端部には第２導管基端部９より上方で開口した第２流出口１０が設けられている。また、第１流出口８から直に排出管４に流出する血液中の気泡を除去するための消泡網１１が第１流出口８に装着されている。
【００２６】
貯血槽１内に流出入する血液の流れについて、簡単に説明する。流入管３から第１導管５に流入した血液のうち、一部は基端部９で分れた第２導管内に流入し、残りは第１流出口８を経由して、消泡網１１→濾過網７を通過して、最終的に排出管４から排出される。第２導管内に流入した血液は第２流出口１０を通ってハウジング２内に流出される。ハウジング内に流入した血液は、槽内の血液を攪拌した後に排出管４から排出される。
【００２７】
基端部９は最低貯血レベルＢと同じ高さ、或いはそれより下方に形成されており、第２流出口１０は基端部９より上方に形成されている。図１では、貯血レベルより上側に第２流出口１０が設けられているが、むしろ貯血レベルより下方に第２流出口を設ける方が好ましく、貯血レベルと同じか、やや下方に設けるのがさらに好ましい。
【００２８】
図２は他の実施態様を示す貯血槽の概略図で、第２流出口１０を横方向に離れた位置に配置し保持しているため、貯血槽内の血液をより効率的に流動させることができる。血液の流れは図１のものと同じであるが、排出管４から第２流出口１０が離れているため、槽内全体の血液をより広範に流動できる。また、この貯血槽では、第２流出口から流出した血液は濾過網７によって濾過されないため、第２流出口１０に濾過網７ｂを装着して、濾過している。図４において、第２流出口のハウジング内での最大離間距離をＤｍａｘとすると、第２流出口の配置位置（距離）としては、第１導管から水平方向に２Ｄｍａｘ／３以上であるのが好ましい。
【００２９】
図３は、前記第２流出口が実質的に前記血液レベルになるように調整する位置調整手段として、フロート１２を第２流出口近傍に装着した貯血槽を示す概略図である。本実施例では、長さの余裕のある第２導管６とフロート１２のため、第２流出口１０が貯血レベルに維持され、貯血量が多い場合でも、少ない場合でも効率的に貯血槽内の流動が行われる。図３では、排出管４と第２流出口１０の配置が横（水平）方向に離れていないが、離れた位置で第２流出口が上下できるものが望ましい。
【００３０】
［実施例１］
１．分岐機構の吐出量に与える影響
図５に示すようなモデルを使用し、分岐機構を有する容器１に液体（水）を流通して、分岐管吐出位置（第２流出口１０に相当する）や分岐管（第２導管６に相当）の径等の要因によって、分岐管吐出量がどのように影響するかを調べた。図５に示すように、送液ポンプ２２によって４Ｌ／ｍｉｎ（固定）の流量で、２０℃の水道水を流入管３から容器内に流入させ、液面を一定に保持するために容器１上部から（液を）溢れさせながら、第２流出口１０の位置を変更して、第１導管５を経て第２流出口１０から吐出する液量を測定した。容器１は全量５Ｌとなるものを使用した。第１導管５は内径１２ｍｍ、外径１７ｍｍの塩化ビニル樹脂製のチューブを使用し、第２導管６は塩化ビニル樹脂製のチューブを使用し、内径３．３ｍｍ、４．５ｍｍ、６．０ｍｍの３種類に変更し、長さは４０ｃｍに固定した。
【００３１】
第１導管５の先端部２３は、内径１０ｍｍ、外径１４ｍｍのチューブで形成し、その最下端２４から液面までの高さを水深Ｄとして、この水深Ｄを２１０ｍｍとした。分岐部９は第１導管５の最下端２４から上方６０ｍｍの位置に形成する。分岐吐出位置は液面を基点とし、液面から第２流出口１０までの距離Ｄ1を変えることによって、第２流出口１０からの吐出量（以下、分岐吐出量ともいう）の影響を調べた。第２流出口の位置を液面から２５ｍｍずつ下げて保持し、（第２流出口の位置が）分岐部９と同じ高さのときを最低位置とする。分岐吐出量はメスシリンダーで計量し、１分間当たりの流量に換算した。
【００３２】
その結果を図６と表１に示した。結果から判るように、分岐吐出量は第２導管６の内径の増大に伴って、増加した。また、分岐吐出量は第２流出口１０の位置が分岐部９と同じ高さの場合が最大となり、液面と同じ高さの場合が最小となった。さらに、第２流出口１０の位置を液面より上方に位置させると、吐出量が減少する、或いは条件によって吐出が停止することもあることが確認された。
【００３３】
【表１】
0003642461.tif 000002
【００３４】
［実施例２］
２．分岐による滞留改善効果の確認
図７に示すような閉鎖実験系にて、本発明の試作貯血槽１を使用して牛血液を循環させ、血中に流動性の指標となる微量のマグネシウム溶液を注入し、血中のマグネシウムイオン濃度を測定することによって、分岐機構の滞留に与える効果を確認した。
【００３５】
方法
(1)実際の体重６０ｋｇ程度の患者の体外循環を想定し、３７℃に加温、攪拌した２Ｌの血液の入った攪拌槽２５と、同じく加温された４Ｌの血液の貯蔵されたカーディオトミー装着の貯血槽１を閉鎖回路２６にて接続する。
(2)送液ポンプ２２により、４Ｌ／ｍｉｎにて血液を循環させる。
(3)安定した循環状態を得るため、１０ｍｉｎ以上灌流を行った後、マグネシウム未添加コントロールとして、灌流開始前サンプルを入口回路２７から採取する。
(4)ＭｇＣｌ2・６Ｈ2Ｏの６ｇを５ｍｌの生食液で溶解したものを、貯血槽１の入口回路２７から全量を投入する。
(5)上述のマグネシウム溶液を投入後、貯血槽の入口２８、出口２９、及び図８に示される上部６箇所、下部６箇所（全ては図示しないが、上下の位置関係は図９に示す通り）の計１２箇所で指定時間毎に血液サンプルを採取する。
(6)灌流終了後、全牛血液を容器に回収し、充分に攪拌後、血液サンプルを採取し、最終的に目的とする攪拌濃度とした。尚、(3)、(5)、(6)における血液サンプルは所定箇所より１ｍｌ採取し、３０００ｒｐｍ １０ｍｉｎの遠心分離して得られた血漿０．１ｍｌをＲＯ水（逆浸透水）で１０００倍希釈し、原子吸光光度計［島津製作所、ＡＡ−６５００］によってマグネシウムイオン濃度の測定を行った。
【００３６】
結果を表２と図１０に示す。結果が判り難くなるため、図１０は一部の採取箇所からの測定値のみをグラフに挿入することによって、その効果を示した。表および図中に▲１▼上、▲１▼下とあるのは、血液サンプルを採取した位置を示すものであり、表３，４，５や図１０、１１、１３、１５に記載したものも同じ意味である。
【００３７】
【表２】
0003642461.tif 000003
【００３８】
これらの結果によって示されるように、分岐機構を有する貯血槽では各採取箇所においても、マグネシウム溶液投入後、約１８０秒前後で混和が完了しており、滞留防止に優れた効果があることが確認された。
【００３９】
［比較例１］
分岐機構の無い試作貯血槽を接続した以外、実施例２と全く同じ方法で実験を行った。結果を表３と図１１に示す。結果を判り易くするため、図では代表的な測定値のみを示した。結果から示されるように、分岐機構の無い試作貯血槽では、採取箇所によって混和するまでに長時間かかることが確認された。
【００４０】
【表３】
0003642461.tif 000004
【００４１】
［比較例２］
分岐機構の無い市販の貯血槽を接続し、採取箇所を図１２に示すように変更（形状的に同じ採取箇所が取れないため）した以外、実施例２と全く同じ方法で実験を行った。結果を表４と図１３に示す。結果を判り易くするため、図では代表的な測定値のみを示した。結果から示されるように、この貯血槽（従来品Ａ）では、混和するまでに長時間かかることが確認された。
【００４２】
【表４】
0003642461.tif 000005
【００４３】
［比較例３］
分岐機構の無い別の市販の貯血槽を接続し、採取箇所を図１４に示すように変更（形状的に同じ採取箇所が取れないため）した以外、実施例２と全く同じ方法で実験を行った。結果を表５と図１５に示す。結果を判り易くするため、図では代表的な測定値のみを示した。結果から示されるように、この貯血槽（従来品Ｂ）も比較例４と同じく、混和するまでに長時間かかることが確認された。
【００４４】
【表５】
0003642461.tif 000006
【００４５】
【発明の効果】
本発明の貯血槽によると、患者から脱血された血液の多くは第１導管から排出口に排出されるため、血液が濾過網やハウジング壁面に保持されることによって起こる動的充填量が低減する。そのため、体外循環開始時や循環血液量を増加した際の貯血槽の血液レベルのタイムラグを操作上、問題にならない程度にすることができる。
【００４６】
また、貯血槽の血液レベルの影響をほとんど受けることなく、第１導管から所定量の血液が第２導管に流れ、第２導管に流れた血液は貯血槽内の血液液面、またはその近傍に流出するので、貯血槽の上中部に滞留している血液が流動し、入れ換ることができる。その結果、より正確な血液状態のモニターを行うことができるようになる。さらに、従来の貯血槽を使用した場合に比べて、血液凝固の進行も抑えることができる。
【図面の簡単な説明】
【図１】本発明の１つの実施態様で、第２流出口を規定の位置（高さ）に保持した貯血槽を示す概略図。
【図２】本発明の他の実施態様で、第２流出口を所定の位置（高さ、横方向）に保持した貯血槽を示す概略図。
【図３】本発明の他の実施態様で、貯血レベルに応じて移動可能な第２流出口を設けた貯血槽を示す概略図。
【図４】図２において、第２流出口の保持位置を説明するための概略図。
【図５】実施例１における大まかな実験装置、方法を示す概略図。
【図６】実施例１において、分岐機構の吐出量へ与える影響を示すグラフ。
【図７】実施例２における大まかな実験装置、方法を示す概略図。
【図８】貯血槽内の血液サンプル採取位置を示すために、上方からみた貯血槽の平面図。
【図９】図８において、▲１▼と▲４▼を通る垂直平面で貯血槽を切断した概略図。
【図１０】実施例２のデータに基づいて、本発明の貯血槽の滞留効果を示すグラフ。
【図１１】比較例１のデータに基づいて、従来品の滞留試験成績を示すグラフ。
【図１２】比較例２において、貯血槽内の血液サンプル採取位置を示す貯血槽平面図。
【図１３】比較例２のデータに基づいて、従来品の滞留試験成績を示すグラフ。
【図１４】比較例３において、貯血槽内の血液サンプル採取位置を示す貯血槽平面図。
【図１５】比較例３のデータに基づいて、従来品の滞留試験成績を示すグラフ。
【図１６】従来の貯血槽の１つの実施態様を示す概略図。
【図１７】従来の他の貯血槽の実施態様を示す概略図。
【図１８】本発明に至る前に試作した分岐機構の無い貯血槽を示す概略図。
【符号の説明】
１．貯血槽（容器）
２．ハウジング
３．流入管
４．排出管
５．第１導管
６．第２導管
７．濾過網
８．第１流出口
９．第２導管基端部（分岐部）
１０．第２流出口
１１．消泡網
１２．フロート
１３．従来の貯血槽
１４．従来の貯血槽
１５．連通管（主導管）
１６．心内血ポート
１７．分岐導管
１８．貯血槽試作品
１９．導管開口部
２０．分岐導管開口部
２１．流出口
２２．送液ポンプ
２３．先端部
２４．最下端
２５．攪拌槽
２６．閉鎖回路
２７．入口回路
２８．入口
２９．出口
３０．血液サンプル採取位置（貯血槽上部）
３１．血液サンプル採取位置（貯血槽下部）
Ａ．貯血レベル
Ｂ．最低貯血レベル
【図１】
0003642461.tif 000007
【図２】
0003642461.tif 000008
【図３】
0003642461.tif 000009
【図４】
0003642461.tif 000010
【図５】
0003642461.tif 000011
【図６】
0003642461.tif 000012
【図７】
0003642461.tif 000013
【図８】
0003642461.tif 000014
【図９】
0003642461.tif 000015
【図１０】
0003642461.tif 000016
【図１１】
0003642461.tif 000017
【図１２】
0003642461.tif 000018
【図１３】
0003642461.tif 000019
【図１４】
0003642461.tif 000020
【図１５】
0003642461.tif 000021
【図１６】
0003642461.tif 000022
【図１７】
0003642461.tif 000023
【図１８】
0003642461.tif 000024